(57)【要約】【課題】擬毛を植えることでカツラを構成するカツラベースについて、頭部へのフィット感および位置ズレを防止することができ、しかも、カツラベースのネット領域を縫付けによって構成した場合に、縫糸に起因する滑止め材の破断クズが生じ難い構成を提供する。【解決手段】本発明のカツラベースは、着用者の頭部に接する側の表面に、複数の滑止め材１１が点在して配置されてなる伸縮性の帯体１０を含むネット領域Ｎを少なくとも一部に有している。帯体１０は、ネット領域を構成する他の構成要素２０に対して、縫付けによって固定されている。したがって、縫付けに使用する縫糸が滑止め材１１上を通過する可能性が低くなり、また、仮に通過した場合であっても、滑止め材１１は点在しているが故に、滑止め材自体の破断が生じ難い。結果として、滑止め材の破断クズが発生する等の不都合を回避できる。【選択図】図１
2016156103.tif 000002
【特許請求の範囲】
【請求項１】
着用者の頭部に接する側の表面に、複数の滑止め材（１１）が点在して配置されてなる伸縮性の帯体（１０）を含むネット領域を少なくとも一部に有していて、
上記帯体（１０）は、ネット領域を構成する他の構成要素（２０）に対して、縫付けによって固定されている、カツラベース。
【請求項２】
上記他の構成要素は、帯体（１０）よりも細い線状体（２０）である、請求項１記載のカツラベース。
【請求項３】
上記複数の滑止め材（１１）の少なくとも１つは、その表面に、滑止め効果を高める凹凸を備えている、請求項１記載のカツラベース。
【請求項４】
請求項１〜３のいずれか１つに記載のカツラベースに擬毛を植えて構成される、カツラ。
【発明の詳細な説明】
【技術分野】
【０００１】
本発明は、擬毛（人工毛または天然毛）を植えることでカツラを構成するカツラベース、およびこれを用いて構成されるカツラに関する。さらに詳しくは、カツラ装着者の頭部に対する密着性を向上させたカツラベースおよびカツラに関する。
【背景技術】
【０００２】
全頭タイプのカツラに代表されるように、カツラ装着者の頭部に自毛が殆ど残っていない状況で使用されるカツラでは、カツラの土台となるカツラベースは、装着者の頭皮に対する適度な密着性が求められる。このような密着性を高めるための工夫として、例えば特許文献１に開示されたものがある。
【０００３】
特許文献１では、形状記憶合金で構成された細状体（または、その撚り糸）を、カツラベースの裏面側に巻回して配置している。形状記憶合金は、変態温度よりも低いマルテンサイト状態では柔らかくて引き伸ばすことができる。この状態でカツラを着用し、その後で、体温あるいはヘアドライヤの熱によって形状記憶合金は、温度上昇し、収縮して頭部に密着される。
【０００４】
また、特許文献２に開示された日本髪は、頭部に沿う形状の基枠に、前髪（まえがみ）、鬢（びん）、髷（まげ）、髱（たぼ）を取り付けて構成されている。基枠は硬質材料で形成されており、軽金属板からなる上枠の裏面側には、細かい凹凸を有するゴム等の摩擦係数の大きい材料からなる滑止め層が形成されている。
引用文献２では、図２に良く示されているように、滑止め層がドット状に配置されたゴム等の材料で構成されている点においては、本件発明と共通している。しかし、本件発明では、伸縮性のある帯体の上に、滑止め材を点在させた上で、当該帯体を縫付け固定することでネット領域を構成している点において、引用文献２とは異なる。
【先行技術文献】
【特許文献】
【０００５】
【特許文献１】特許第４６３６３９４号公報
【特許文献２】特開２００８−１４４２８６号公報
【発明の概要】
【発明が解決しようとする課題】
【０００６】
本発明は、擬毛を植えることでカツラを構成するカツラベースについて、頭部へのフィット感および位置ズレを防止することができ、しかも、カツラベースのネット領域を縫付けによって構成した場合に、縫糸に起因する滑止め材の破断クズが生じ難い構成を提供することを目的としている。
【課題を解決するための手段】
【０００７】
本発明により、以下の特徴を備えたカツラベース、およびそこに擬毛を植えてなるカツラが提供される。
本発明のカツラベースは、「着用者の頭部に接する側の表面に、複数の滑止め材が点在して配置されてなる伸縮性の帯体」を含むネット領域を少なくとも一部に有している。帯体は、ネット領域を構成する他の構成要素に対して、縫付けによって固定されている。
【発明の効果】
【０００８】
上記構成を有する本発明のカツラベースによれば、まず、伸縮性のある帯体の表面に滑止め材を設けたことによって、カツラ着用時に帯体が頭皮に適度に密着してフィット感を高めるとともに、カツラのズレ動きが防止される。
【０００９】
さらに、滑止め材は帯体上で点在して配置されており、そのような帯体が、ネット領域を構成する他の構成要素に対して、縫付けによって固定されている。したがって、縫付けに使用する縫糸が滑止め材上を通過する可能性が低くなり、また、仮に通過した場合であっても、滑止め材は点在しているが故に、滑止め材自体の破断が生じ難い。つまり、滑止め材の破断クズが発生するのを防止、あるいは低減することができる。
【図面の簡単な説明】
【００１０】
【図１】本発明の一実施形態に係るカツラベースを説明する概略図。
【図２】図１中のネット領域の部分拡大図。
【図３】滑止め材が点在することによる利点を説明する説明図。
【図４】滑止め材の表面に設ける凸部の説明図。
【発明を実施するための形態】
【００１１】
本発明の実施形態を、添付の図面を参照して以下に詳細に説明する。図１は、一実施形態に係るカツラベース１を説明する概略図である。カツラベース１は、図１（ａ）に示すように、全頭タイプのもので、着用者の頭部全体を覆うように着用される。図示はしていないが、カツラベース１の適宜の箇所に擬毛（人工毛または天然毛）を植えて、カツラが構成される。
【００１２】
カツラベース１は、帯体１０と線状体２０で構成されるネット領域Ｎを一部に備えている。図１（ｂ）に、ネット領域Ｎを拡大して示している。なお、図１（ｂ）では、着用者の頭部に接する側の面を示している。すなわち、図１（ｂ）中にドット状に描かれた帯体１０上の滑止め材１１は、図１（ａ）では紙面向こう側に存在する。
【００１３】
カツラベース１は、その外周縁近傍に設けた一般的に知られた適宜の締結手段（図示せ
ず）によって、頭部に固定される。本発明は、ネット領域Ｎにおけるカツラベースの頭部へのフィット感を高めるとともに、ネット領域Ｎにおける位置ズレを防止すること（さらには、その構成において、滑止め材１１の破断クズの発生を抑えること）に主眼を置いている。
【００１４】
図２は、図１（ｂ）のネット領域Ｎをさらに拡大して示している。帯体１０は、伸縮性を有する帯状の部材であって、例えば、ゴム糸を編み込んだ布材等、適宜の素材を用いて構成することができる。帯体１０の表面（カツラ着用者の頭部に接する側の表面）には、複数の滑止め材１１が点在した丸いドット状に配置されている。滑止め材１１は複数点在していることが必要であるが、個々の滑止め材１１の形状は、丸形に限らず、三角形、四角形、その他任意の形状とすることができる。
また、滑止め材１１は、着用者の頭部に接したときにスベリを防止あるいは低減できる材料で構成されていればよく、具体的な材質が特定のものに限定されるものではない。例えば、シリコン材料等、摩擦係数の大きい（スベリ難い）ものが好ましい。
【００１５】
＜サイズの一例＞
帯体１０および線状体２０の幅や間隔等について、その寸法は適宜設定することができるが、図２には、その一例を記載している。なお、図示の例では、帯体１０および線状体２０は直交する格子状に構成されているが、ネット状に構成されている限り、具体的な交差態様は、自由に選択することが可能である。
【００１６】
＜ネット領域Ｎを構成する要素について＞
図示した実施形態においては、ネット領域Ｎは、帯体１０と線状体２０を縫い付け固定することで構成されている。しかし、本発明においては、ネット領域Ｎの構成要素として「表面に滑止め材１１が点在する伸縮性の帯体１０」が含まれていれば足り、例えば、線状体２０に代えて同様の帯体１０を使用することも可能である。その場合には、帯体１０同士を格子状に縫い付けて、ネット領域とされる。
なお、帯体１０と線状体２０（あるいは他のネット構成要素）を縫付けによって固定しているのは、カツラベース全体に柔軟性を与えるためである。
【００１７】
＜点在配置と縫付固定による利点＞
本発明においては、「伸縮性のある帯体１０上に、滑止め材１１が点在して配置されている」ことと、「そのような帯体１０が、ネット領域Ｎを構成する他の構成要素（図示の例では、線状体２０）に対して、縫付固定されている」ことに、重要な意味がある。これについて、下に説明する。
【００１８】
（ア）
まず、伸縮性のある帯体１０の表面に滑止め材１１を設けたことによって、カツラ着用時に帯体１０が頭皮に適度に密着してフィット感を高めるとともに、カツラのズレ動きが防止される。
（イ）
滑止め材１１は、帯体１０上で点在して配置されており（図示の実施形態では、多数の円形ドット状）、そのような帯体１０が線状体２０に縫付けによって固定されている。したがって、縫付けに使用する縫糸２１が滑止め材１１上を通過する可能性が低くなり、また、仮に通過したとしても、滑止め材１１が点在しているため、滑止め材自体の破断が生じ難い。つまり、滑止め材１１の破断クズが発生するのを防止、あるいは低減することができる。
【００１９】
上記効果を、図３を参照して説明する。図３（ａ）は、滑止め材１１が点在している本発明の場合を示している。比較のため、図３（ｂ）は、滑止め材１１’が面状に設けられている場合を、図３（ｃ）は、滑止め材１１’’が線状に設けられている場合を、それぞれ示している。
図３（ａ）〜（ｃ）において、イ、ロ、ハ、ニは仮想的な縫糸の軌跡を示している。縫糸の軌跡としては、無限のバリエーションが考えられるが、図３ではその中の４つを代表的に示している。各図を比較すれば良く分かるように、滑止め材１１が点在している図３（ａ）の構成では、縫糸の軌跡と滑止め材１１とがオーバーラップする確率が相対的に低い。さらに、オーバーラップする箇所においても、滑止め材１１が点在しているが故に、その破断クズが相対的に生じ難いことが分かる。
【００２０】
＜滑止め効果を高めるための構成＞
図４は、帯体１０上に点在する多数の滑止め材１１の１つを拡大して示している。図４（ａ）の例では、滑止め材１１の表面に、３条の凸部１１ａを設けることで、滑止め効果を高めている。滑止め材１１は、それ自体がスベリを低減できる材料で構成されているので、図４に示すような凸部１１ａは必ずしも必要ではないが、凸部を設けることでスベリ止め効果をさらに向上させることができる。
凸部１１ａの配置パターンは任意に設定することができるが、図４（ａ）〜（ｅ）に例を示した。また、凸部ではなく、凹み状に構成してもよい。このような凸部あるいは凹部は、全ての滑止め材１１に設けてもよいし、一部の滑止め材１１だけに設けてもよい。
【００２１】
＜他の変形例＞
図示した実施形態では、カツラベース１は、着用者の頭部全体を覆う全頭タイプのものであって、そのようなカツラベースの一部領域にあたるネット領域Ｎを、帯体１０および線状体２０で構成している。しかし、本発明はそのような実施形態に限られるものではない。例えば、部分カツラにネット領域Ｎを設けてもよく、あるいはカツラベースの実質的に全領域をネット領域Ｎで構成することも可能である。
【符号の説明】
【００２２】
１  カツラベース
１０  帯体
１１  滑止め材
１１ａ  凸部
２０  線状体
２１  縫糸
【図１】
2016156103.tif 000003
【図２】
2016156103.tif 000004
【図３】
2016156103.tif 000005
【図４】
2016156103.tif 000006
【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
着用者の頭部に接する側の表面に、複数の滑止め材（１１）が点在して配置されてなる伸縮性の帯体（１０）を含むネット領域を少なくとも一部に有していて、
上記帯体（１０）は、ネット領域を構成する他の構成要素（２０）に対して、縫付けによって固定され、
同一の他の構成要素（２０）が複数の帯体（１０）の幅方向を横切るように伸びており、他の構成要素（２０）及び帯体（１０）が重なる部分で縫付けが施されている、カツラベース。
【請求項２】
カツラベースの装着時において、ネット領域が装着者の側頭部から後頭部を覆う領域に配置され、同一の他の構成要素（２０）が側頭部側から後頭部側まで伸びている、請求項１記載のカツラベース。
【請求項３】
上記他の構成要素は、帯体（１０）よりも細い線状体（２０）である、請求項１または２記載のカツラベース。
【請求項４】
上記複数の滑止め材（１１）の少なくとも１つは、その表面に、滑止め効果を高める凹凸を備えている、請求項１〜３のいずれか１つに記載のカツラベース。
【請求項５】
請求項１〜４のいずれか１つに記載のカツラベースに擬毛を植えて構成される、カツラ。